(57)【要約】  本発明は剃毛かみそりシステムを対象とする。本かみそりシステム（１０）は、ハンドル（１２）と、かみそりカートリッジ（１５）とを有する。ハンドルは、ハンドルの近位端部分（１６）に対して旋回関係をなす少なくとも１つの皮膚相互連結部材（２０）を有する。かみそりカートリッジは、ハウジング（３２）と、少なくとも１つの刃（１７）と、ハウジングを通じて延在する少なくとも１つの開口部（１００）と、を有する。かみそりカートリッジは、皮膚相互連結部材が、かみそりカートリッジをハンドルの近位端部分に固定する開口部内に配設されるとき、皮膚相互連結部材と係合される。かみそりカートリッジは、ハンドルとは旋回関係をなすが、皮膚相互連結部材とは旋回関係をなさない。かみそりシステムの旋回点は望ましくは、カートリッジの前方刃の近くに配設される。かみそりシステム内の運動軸は、かみそり構成要素の連結の異なる物理的順序によって提供され得る。
2021515617.tif 000002
【特許請求の範囲】
【請求項１】
剃毛かみそりシステムアレイであって、
１つ以上のかみそりカートリッジであって、前記かみそりカートリッジのうちの少なくとも１つは、
前方側部とハウジングに装着される前方刃とを有するハウジングであって、前記前方刃は前記ハウジングの前記前方側部に対して最も近位側にある、ハウジングと、
刃縁部を有する前記前方刃の前方に配設された、前記ハウジング内の少なくとも１つの開口部であって、前記ハウジングを通じて前記ハウジングの頂部表面から前記ハウジングの底部表面へと延在する、少なくとも１つの開口部と、を備える１つ以上のかみそりカートリッジと、
１つ以上のハンドルであって、前記ハンドルのうちの少なくとも１つは、
近位端部分と、遠位端部分と、少なくとも１つの皮膚相互連結部材であって、前記ハンドルの前記近位端部分に対して旋回関係にある、少なくとも１つの皮膚相互連結部材と、を備える１つ以上のハンドルと、を備え、
前記少なくとも１つの皮膚相互接続部材は、前記ハンドルに対する前記かみそりカートリッジの旋回点Ｐを設けるために、前記ハウジングの前記少なくとも１つの開口部内に接合され、前記旋回点Ｐは、前方刃縁部から最大で約３．５ｍｍ前方まで、前記前方刃縁部から最大で約１１ｍｍ後方まで、剃毛平面Ｓから最大で約１ｍｍ上方まで、前記剃毛平面Ｓから最大で約２．５ｍｍ下方までに位置し、前記少なくとも１つの皮膚相互連結部材は前記ハウジングに対して旋回関係になく、
前記少なくとも１つのカートリッジのうちのいずれか１つは、前記少なくとも１つのハンドルのうちのいずれか１つと係合する、剃毛かみそりシステムアレイ。
【請求項２】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、前記刃縁部のうちの１つまでの、剃毛平面Ｓに対して平行な距離は、約＋１．０ｍｍ〜約−１．０ｍｍの範囲内で一定に保たれる、請求項１に記載の剃毛かみそりシステムアレイ。
【請求項３】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから全ての前記刃縁部までの、剃毛平面Ｓに対して平行な平均距離は、約＋１．０ｍｍ〜約−１．０ｍｍの範囲内で一定に保たれる、請求項１に記載の剃毛かみそりシステムアレイ。
【請求項４】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、剃毛平面Ｓから２ｍｍ以内にある最初の刃縁部に最も近いガード上の点までの、剃毛平面Ｓに対して平行な距離は、約＋１．０ｍｍ〜約−１．０ｍｍの範囲内で一定に保たれる、請求項１に記載の剃毛かみそりシステムアレイ。
【請求項５】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、剃毛平面Ｓから２ｍｍ以内にある最後の刃縁部に最も近いキャップ上の点までの、前記剃毛平面Ｓに対して平行な距離は、約＋１．０ｍｍ〜約−１．０ｍｍの範囲内で一定に保たれる、請求項１に記載の剃毛かみそりシステムアレイ。
【請求項６】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、最後の刃縁部に対するキャップ上の最高点までの、前記剃毛平面Ｓに対して平行な距離は、約＋１．０ｍｍ〜約−１．０ｍｍの範囲内で一定に保たれる、請求項１に記載の剃毛かみそりシステムアレイ。
【請求項７】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、最初の刃縁部までの、剃毛平面Ｓに対して平行な距離は、約０．５ｍｍ〜約２ｍｍである、請求項１に記載の剃毛かみそりシステムアレイ。
【請求項８】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、２番目の刃縁部までの、剃毛平面Ｓに対して平行な距離は、約０．９ｍｍ〜約２．４ｍｍである、請求項１に記載の剃毛かみそりシステムアレイ。
【請求項９】
前記皮膚相互連結部材の適用表面の最上点における剃毛平面Ｓに対して実質的に平行な平面と、前記皮膚相互連結部材の後方表面上の剃毛平面Ｓから２ｍｍ以内の最後方点における垂直平面との交点によって規定される点Ｃから、全ての前記刃縁部までの、剃毛平面Ｓに対して平行な平均距離は、約１．３ｍｍ〜３ｍｍである、請求項１に記載の剃毛かみそりシステムアレイ。
【請求項１０】
少なくとも１つ以上のかみそりカートリッジにおいて、前記開口部を画定する前記ハウジングの壁は、前記皮膚相互連結部材を部分的にのみ包囲し、前記壁の少なくとも一部分は、前記皮膚相互連結部材の一部分の前方にある、請求項１に記載の剃毛かみそりシステムアレイ。
【発明の詳細な説明】
【技術分野】
【０００１】
本発明は剃毛かみそりシステムに関し、より詳細には、少なくとも１つの皮膚相互連結部材を含む剃毛かみそりシステムに関する。
【背景技術】
【０００２】
かみそりカートリッジは、ユーザーの毛髪をカット又は剃毛するように設計されている。カートリッジは、少なくとも１つの鋭利なエッジを有する１つ以上の刃を備える。刃は、ハウジングと一般的に称されるものによって適所に保持される。ハウジングは典型的には、全体的な剃毛体験を改善するために１つ以上の機構を包含する。こうした一般的な機構には、刃の前方のハウジング上に位置するガード、及び刃の後ろに位置するキャップが挙げられる。ガードは、多くの場合、エラストマー部材を包含し、キャップは、多くの場合、ある種の潤滑ストリップを包含する。
【０００３】
膨大な数のかみそりカートリッジ構造が現在市販されている。大きなガードを有するものもあり、小さなガードを有するものもあり、いくつかのガードはフィンを有するエラストマー部材を有し、他のガードは凹を有するエラストマー部材を有し、いくつかのガードは潤滑ストリップを有する。同様に、大きなキャップを有するかみそりカートリッジもあり、小さなキャップを有するかみそりカートリッジもあり、いくつかのキャップは潤滑ストリップを有する。今日のほとんどのかみそりは、キャップ、潤滑ストリップ、石鹸要素、及び／又は皮膚係合エラストマーフィン要素を介して、かみそりカートリッジに直接皮膚効果をもたらすものである。
【０００４】
今日入手可能なほとんどの湿式剃毛システムは、ハンドルに取り付けるタイプのかみそりカートリッジを使用している。かみそりカートリッジ内の刃の切れ味が悪くなった後、かみそりカートリッジは廃棄されてもよく、また新しいかみそりカートリッジが同じハンドルに取り付けられてもよい。ユーザーは典型的には、非常に長い時間にわたってハンドルを握持する。かみそりカートリッジをハンドルに取り付けるために様々な技術が用いられてきた。ほとんどの技術は、かみそりカートリッジが主軸を中心として制御された様式で旋回することを可能にする方式で、かみそりカートリッジをハンドルに取り付けることを含む。かみそりカートリッジを旋回可能に取り付けることにより、かみそりカートリッジに装着されている刃は、ハンドルの向きに関係なく皮膚表面の輪郭をなぞることが可能になる。本かみそりカートリッジは、制限の間で旋回可能であり、通常は、ハンドルに対して好ましい中立の角度位置に向かって付勢される。かみそりカートリッジをハンドルに対して分離するために様々な技術が用いられてきた。ほとんどの技術は、ハンドルがカートリッジに取り付けられるときにかみそりカートリッジの隣に離間される、ハンドル上に装着されたカートリッジ排出機構を含んでいる。かみそりカートリッジ上に配設された旋回機能、及びかみそりカートリッジとハンドルとの間の旋回機能及びカートリッジ排出機構は、製造するのに費用がかかりかつ複雑である。
【０００５】
更に、消費者の要求を満たすため、多数のカートリッジ設計が構成されてきた。数多く設計するにはコストがかかるが、それと等しい努力がそれぞれの設計に費やされる。即ち、各カートリッジはゼロから設計され、その結果、１つのカートリッジを製造するために用いられる成形型及び製造設備のいずれもが、異なる設計のカートリッジの製造に利用することはできない。例えば、ジレット（Gillette）（商標）マッハスリー（Mach3）（商標）かみそりカートリッジの製造に使用される成形型及び生産設備は、ジレット（Gillette）（商標）フュージョン（Fusion）（商標）かみそりカートリッジを製造するためには使用され得ない。製品デザイン、成形型及び生産設備を各製品ごとに別々に作らなければならないので、これは結果的に原価高となる。
【発明の概要】
【発明が解決しようとする課題】
【０００６】
したがって、消費者の要求を満たすように異なるかみそりカートリッジを生産するための費用及び労力を、代替的でかつ全体的なかみそり設計によって低減することが要求されている。
【０００７】
理想的には、迅速で、容易で、直感的で、かつ安全なハンドルへの取り付けが可能な刃を収容する標準的な刃ユニットを用いて開始することが好まれる。しかしながら、ハンドルに対して旋回可能であるが、製造及び組立がより単純でかつより低コストであるかみそりカートリッジを得ることが求められている
。
【０００８】
次いで、標準的な刃ユニット又は少数の標準的な刃ユニットに対してハンドルの様々な構成を使用する柔軟性を有することができる。本発明の目的は、ハンドルの旋回部として所望の皮膚効果を提供することである。
【課題を解決するための手段】
【０００９】
本発明は、１つ以上のかみそりカートリッジを含む剃毛かみそりシステムアレイを対象とし、かみそりカートリッジのうちの少なくとも１つは、前方側部を有するハウジングと、ハウジングに装着される前方刃と、を含み、前方刃はハウジングの前方側部に対して最も近位側にある。ハウジング内の少なくとも１つの開口部が、刃縁部を有する前方刃の前方に配設され、少なくとも１つの開口部は、ハウジングを通じてハウジングの頂部表面からハウジングの底部表面へと延在する。システムは１つ以上のハンドルを含み、ハンドルのうちの少なくとも１つは、ハンドルの近位端部分と、遠位端部分と、少なくとも１つの皮膚相互連結部材とを含み、皮膚相互連結部材はハンドルの近位端部分に対して旋回関係にある。少なくとも１つの皮膚相互連結部材は、ハンドルに対するかみそりカートリッジの旋回点Ｐを設けるために、ハウジングの少なくとも１つの開口部内に接合され、旋回点Ｐは、前方刃縁部から最大で約３．５ｍｍ前方まで、前方刃縁部から最大で約１１ｍｍ後方まで、剃毛平面Ｓから最大で約１ｍｍ上方まで、剃毛平面Ｓから最大で約２．５ｍｍ下方までに位置し、少なくとも１つの皮膚相互連結部材はハウジングに対して旋回しない。少なくとも１つのカートリッジのうちの１つは、少なくとも１つのハンドルのうちのいずれか１つと係合する。
【００１０】
一態様において、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、刃縁部のうちの１つまでの、剃毛平面Ｓに対して平行な距離は、約＋１．０ｍｍ〜約−１．０ｍｍの範囲内で一定に保たれる。
【００１１】
別の態様において、剃毛かみそりシステムアレイは、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、全ての刃縁部までの平均距離を有し、その平均距離は、約＋１．０ｍｍ〜約−１．０ｍｍの範囲内で一定に保たれる。
【００１２】
更に他のもう１つの態様において、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、剃毛平面Ｓから２ｍｍ以内にある最初の刃縁部に最も近いガード上の点までの、剃毛平面Ｓに対して平行な距離は、約＋１．０ｍｍ〜約−１．０ｍｍの範囲内で一定に保たれる。
【００１３】
更にまた、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、剃毛平面Ｓから２ｍｍ以内にある最後の刃縁部に最も近いキャップ上の点までの、剃毛平面Ｓに対して平行な距離は、約＋１．０ｍｍ〜約−１．０ｍｍの範囲内で一定に保たれる。
【００１４】
更にまた、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、最後の刃縁部に対するキャップ上の頂点までの、剃毛平面Ｓに対して平行な距離は、約＋１．０ｍｍ〜約−１．０ｍｍの範囲内で一定に保たれる。
【００１５】
一態様において、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、最初の刃縁部までの、剃毛平面Ｓに対して平行な距離は、約０．５ｍｍ〜約２ｍｍである。
【００１６】
他の態様は、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、最初の刃縁部までの、剃毛平面Ｓに対して平行な距離を有し、その距離は約０．９ｍｍ〜約２．４ｍｍである。
【００１７】
更に、皮膚相互連結部材の適用表面の最上点における剃毛平面Ｓに対して実質的に平行な平面と、皮膚相互連結部材の後方表面上の剃毛平面Ｓから２ｍｍ以内の最後方点における垂直平面との交点によって規定される点Ｃから、全ての刃縁部までの、剃毛平面Ｓに対して平行な平均距離は、約１．３ｍｍ〜約３ｍｍである。
【００１８】
代替的な実施形態では、少なくとも１つ以上のかみそりカートリッジにおいて、開口部を画定するハウジングの壁は、皮膚相互連結部材を部分的にのみ包囲し、壁の少なくとも一部分は、皮膚相互連結部材の一部分の前方にある。
【００１９】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００２０】
本発明の他の特徴及び利点は、以下の詳細な説明及び特許請求の範囲から明らかとなるであろう。
【図面の簡単な説明】
【００２１】
本発明の１つ以上の実施形態の詳細を、添付図面及び以下の明細書に記述する。特定の実施形態は、本明細書において特に明記しない限り、概して開示されているが、組み合わされて明示的に例示又は特許請求の範囲に記載されていない本発明の要素又は構成要素を組み合わせることができることを理解される。本発明のその他の特徴及び利点は、明細書及び図面、並びに特許請求の範囲から明らかとなるであろう。
【図１Ａ】本発明による、少なくとも１つの皮膚相互連結部材を含んだ剃毛かみそりシステムの斜視図である。
【図１Ｂ】本発明のかみそりカートリッジの正面斜視図及び背面斜視図である。
【図１Ｃ】本発明のかみそりカートリッジの正面斜視図及び背面斜視図である。
【図１Ｄ】本発明のかみそり刃の概略図である。
【図２Ａ】本発明による皮膚加熱又は冷却効果を送達するための少なくとも１つの皮膚相互連結部材を含んだ剃毛かみそりの上面斜視図及び背面斜視図を示す。
【図２Ｂ】本発明による皮膚加熱又は冷却効果を送達するための少なくとも１つの皮膚相互連結部材を含んだ剃毛かみそりの上面斜視図及び背面斜視図を示す。
【図２Ｃ】図２Ａに示される皮膚加熱又は冷却効果のための少なくとも１つの皮膚相互連結部材を含んだ剃毛かみそりハンドルの斜視図である。
【図２Ｄ】図２Ｂに示されるハンドルの皮膚相互連結部材の拡大斜視図である。
【図３Ａ】本発明による皮膚効果をもたらすように流体を送達するための少なくとも１つの皮膚相互連結部材を含んだ剃毛かみそりの上面斜視図及び背面斜視図を示す。
【図３Ｂ】本発明による皮膚効果をもたらすように流体を送達するための少なくとも１つの皮膚相互連結部材を含んだ剃毛かみそりの上面斜視図及び背面斜視図を示す。
【図３Ｃ】本発明による皮膚効果をもたらすように流体を送達するための少なくとも１つの皮膚相互連結部材を含んだ剃毛かみそりの斜視図を示す。
【図３Ｄ】図３Ｂに示されるハンドルの皮膚相互連結部材の拡大斜視図である。
【図４Ａ】本発明の台形プリズム形状要素の概略図を示す。
【図４Ｂ】本発明の台形プリズム形状要素の概略図を示す。
【図４Ｃ】本発明の台形プリズム形状要素の概略図を示す。
【図４Ｄ】本発明の台形プリズム形状要素の概略図を示す。
【図５Ａ】本発明の皮膚相互連結部材の拡大斜視図及び分解図を示す。
【図５Ｂ】本発明の皮膚相互連結部材の拡大斜視図及び分解図を示す。
【図６Ａ】本発明のかみそりの運動軸及び図形的レイアウトを示す剃毛かみそりシステムの斜視図である。
【図６Ｂ】本発明のかみそりの運動軸及び図形的レイアウトを示す剃毛かみそりシステムの斜視図である。
【図６Ｃ】本発明のかみそりの運動軸及び図形的レイアウトを示す剃毛かみそりシステムの斜視図である。
【図６Ｄ】本発明のかみそりの運動軸及び図形的レイアウトを示す剃毛かみそりシステムの斜視図である。
【図７】本発明による旋回点領域を示すかみそりシステムの断面図である。
【図８】本発明の代替の実施形態による旋回点領域を示す皮膚相互連結部材の断面図である。
【図９】図８の旋回点領域を示す皮膚相互連結部材の断面図である。
【図１０Ａ】本発明のかみそりカートリッジ及び皮膚相互連結部材の上部表面の概略図を示す。
【図１０Ｂ】本発明のかみそりカートリッジ及び皮膚相互連結部材の上部表面の概略図を示す。
【図１０Ｃ】本発明のかみそりカートリッジ及び皮膚相互連結部材の上部表面の概略図を示す。
【図１０Ｄ】本発明のかみそりカートリッジ及び皮膚相互連結部材の上部表面の概略図を示す。
【図１０Ｅ】本発明のかみそりカートリッジ及び皮膚相互連結部材の上部表面の概略図を示す。
【図１０Ｆ】本発明のかみそりカートリッジ及び皮膚相互連結部材の上部表面の概略図を示す。
【図１０Ｇ】本発明のかみそりカートリッジ及び皮膚相互連結部材の上部表面の概略図を示す。
【図１０Ｈ】本発明のかみそりカートリッジ及び皮膚相互連結部材の上部表面の概略図を示す。
【図１１Ａ】本発明による旋回点領域を示すかみそりシステムの断面図である。
【図１１Ｂ】本発明による旋回点領域を示すかみそりシステムの断面図である。
【図１２Ａ】本発明によるかみそり構成要素の様々な物理的連結順序を有する実施形態の斜視図である。
【図１２Ｂ】本発明によるかみそり構成要素の様々な物理的連結順序を有する実施形態の斜視図である。
【図１２Ｃ】本発明によるかみそり構成要素の様々な物理的連結順序を有する実施形態の斜視図である。
【図１２Ｄ】本発明によるかみそり構成要素の様々な物理的連結順序を有する実施形態の斜視図である。
【図１２Ｅ】本発明によるかみそり構成要素の様々な物理的連結順序を有する実施形態の斜視図である。
【図１２Ｆ】本発明によるかみそり構成要素の様々な物理的連結順序を有する実施形態の斜視図である。
【図１２Ｇ】本発明によるかみそり構成要素の様々な物理的連結順序を有する実施形態の斜視図である。
【発明を実施するための形態】
【００２２】
本発明は、新規な剃毛かみそりアレイシステムに関するものである。本剃毛かみそりアレイシステムは、１つ以上のかみそりカートリッジと連結されることが可能な１つ以上のハンドルを有する。各ハンドルは、近位端部分と、遠位端部分と、近位端部分に対して旋回関係をなす少なくとも１つの皮膚相互連結部材と、を有する。各かみそりカートリッジは、ハウジングと、ガードと、キャップと、少なくとも１つの刃と、を有する。かみそりカートリッジは、ハンドルの近位端部分にかみそりカートリッジを交換可能に固定するために、少なくとも１つの皮膚相互連結部材と解放可能に係合される。
【００２３】
図１Ａを参照すると、剃毛かみそりシステム１０の一実施形態の斜視図が示されている。剃毛かみそりシステム１０は、ハンドル１２と、ハンドルに着脱可能に連結されるかみそりカートリッジ１５と、を含む。ハンドル１２は、細長いつかみ部分１４と、近位端部分１６と、遠位端部分１８と、少なくとも１つの皮膚相互連結部材２０と、を含む。ハンドル１２は、ハンドルネックエリア２３と、ハンドル本体２１とを備えてもよい。ハンドルネックエリア２３は、近位端部分１６に組み込まれてもよい。ハンドルネックエリア２３は、本体２１をかみそりカートリッジ１５に連結してもよい。つかみ部分１４は、ハンドル本体２１に組み込まれてもよい。
【００２４】
ハンドル１２は、少なくとも１つの皮膚相互連結部材２０に対して１つ以上の旋回運動を提供する。少なくとも１つの旋回運動の旋回軸Ａ１は通常、ハンドルに対して概ね横行する。本発明のかみそりカートリッジ１５はそれ自体では、旋回機構を含まないことに留意されたい。また、本発明のかみそりカートリッジ１５とハンドル１２との間のインターフェースはそれ自体では、旋回機構を含まない。しかしながら、かみそりカートリッジ１５が皮膚相互連結部材２０を介してハンドル１２に連結されると、皮膚相互連結部材２０とかみそりカートリッジ１５は共にロックされ、またそれらは互いに対しては旋回しないが、ハンドル１２に対しては一緒に旋回する。
【００２５】
ハンドル１２は、任意の好適な形状をなしてよい。ハンドル１２は、例えば、細長い樽の形状であってもよく、あるいは起伏のある形状であってもよい。ハンドル１２は、細長いつかみ部分を含んでもよい。ハンドルは、１つ、２つ、又はそれ以上のアーム２７を含んでもよい。アーム２７は、ハンドルの近位端部１６に位置してもよい。２つ以上のアーム２７は、互いに離間して配置されてもよい。ハンドル１２は、例えば、離間して配置されかつハンドル１２の近位端部１６に位置する２つのアーム２７を有する、細長い樽の形状であってもよい。ハンドル１２は、例えば、離間して配置されかつハンドル２７の近位端部１６に位置する２つのアーム２７を有する、起伏のある形状であってもよい。ハンドル１２は、任意の好適な材料から作製されてよい。ハンドル１２は、例えば、金属、ポリマー、エラストマー、プラスチック、熱可塑性物質、ゴム、若しくは任意の他の好適な材料、又はこれらの任意の組み合わせから作製されてよい。ハンドル１２は、任意の好適なプロセスによって作製されてよい。ハンドル１２は、例えば、成形、射出成形、インサート射出成形、鋳造、ダイキャスト、押出成形、任意の他の好適な方法、又はこれらの任意の組み合わせによって作製されてよい。
【００２６】
図１Ｂ〜図１Ｃは、本発明によるかみそりカートリッジ１５の上面図１２０ａ及び底面図１２０ｂを示す。図１Ｂの上面図１２０ａにおいて、かみそりカートリッジ１５は、ガード３４と、キャップ３６と、切断縁部３３を有する少なくとも１つ以上の刃１７と、を有するハウジング３２を有している。かみそりカートリッジは、前方側部６４と後方側部６６とを有する。前方刃６２は、かみそりカートリッジ１５の前方側部６４における最も近位の刃である。前方刃６２には、頂部表面６７から底部表面６９へとハウジング３２を通じて延在する開口部１００が隣接している。ガード３４又は他の機構が、前方刃と開口部との間に位置してもよい。ハウジング３２の頂部表面６４における開口部１００の外周６５は、約５０ｍｍ〜約７０ｍｍの範囲内にあり、好ましくは約６６．３６ｍｍである。
【００２７】
かみそりカートリッジ１５は、皮膚相互連結部材２０と連結されたときにのみハンドル１２の近位端部分１６に対して旋回可能である。皮膚相互連結部材２０と係合されたときのかみそりカートリッジ１５は、ハンドル１２に対して概ね横行する軸Ａ１（図１Ａ、図２Ａ、及び図３Ａに示される）を中心として旋回してもよい。図１Ａに示されるように、ハンドル１２の皮膚相互連結部材２０は、かみそりカートリッジ１５の頂部表面６７の一部分を形成している。
【００２８】
図１Ｃはまた、かみそりカートリッジ１５の底面図１２０ｂを示している。一実施形態では、開口部１００は、ハウジング３２の底部表面６９へと延在する。ハウジング３２の底部表面６９における開口部１００の外周６３は、好ましくは外周６５よりも長い。外周６３は、約７５ｍｍ〜約１００ｍｍの範囲であってもよく、好ましくは約８１．２ｍｍであってもよい。ハウジングの底部表面における開口部１００は望ましくは、ハウジングの頂部表面における開口部１００よりも幅広であってもよい。したがって、漏斗形状（例えば、より大きい開口部からより小さい開口部へと先細になる形状）が達成され得る。
【００２９】
図１Ｃに示されるように、図１Ｂの刃１７は、刃本体４と、先端部６において交差して縁部７を形成する２つのフランク５のそれぞれに対する２つの斜面３と、を含んでいる。本発明における用語「かみそり刃」は、望ましくは刃本体と少なくとも１つのフランクとを備えるステンレス鋼から構成される「基材」を意味する。望ましくは、かみそりブレードは、ブレードエッジを形成する２つのフランクと、ブレード本体とを含む。２つのフランクは、先、若しくは先端、又は多くの場合に最先端（ultimate tip）と呼ばれる位置で交差する。各フランクは、１つ、２つ、又はそれ以上の斜面を有することがある。刃本体は、一般にフランク又は斜面の下に位置するかみそり刃の残りのエリアである。
【００３０】
かみそりカートリッジ１５の少なくとも１つの刃１７は、キャップ３６とガード３４との間でハウジング３２に装着されてもよい。ガード及びキャップは、ガード及びキャップの接線方向にある剃毛平面Ｓを規定してもよい。ガードは、少なくとも１つの刃に対して概ね平行に延びる中実のバーであってもよく、又は分割されたバーであってもよい。ガードは、剃毛ストローク中に皮膚を伸ばすための皮膚係合部材（例えば、複数のフィン）を、刃の前に備えていてもよい。皮膚係合部材は、例えば、ハウジングに対してインサート射出成形又は共射出成形されてもよい。接着、接合、結合、超音波溶接、又は機械的締結などの他の既知の組立方法も用いることができる。皮膚係合部材は、ハウジングよりも軟質の（すなわち、デュロメータ硬度がより低い）材料から成形されてもよい。例えば、皮膚係合部材は、約２０、３０、又は４０から約５０、６０、又は７０までのショアＡ硬度を有してもよい。皮膚係合部材は、熱可塑性エラストマー（ＴＰＥ）又はゴムで製造されてもよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらＴＰＥのいずれかのブレンド（例えば、ポリエステル／ＳＥＢＳブレンド）が挙げられるが、これらに限定されない。特定の実施形態では、皮膚係合部材は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））を含んでもよい。皮膚係合部材のより軟質材料は、皮膚伸張を向上させるばかりでなく、剃毛ストローク中にユーザーの皮膚に対してより快適な触感を提供することができる。より軟質の材料はまた、剃毛ストローク中のユーザーの皮膚に当たるハウジング及び／又はフィンのより硬い材料の不快な感触をなくすのに役立ち得る。
【００３１】
少なくとも１つの刃は、１つ以上のクリップによってハウジングに装着又は固定されてもよい。ワイヤラッピング、冷間成形、熱かしめ、インサート成形、超音波溶接、及び接着が挙げられるがこれらに限定されない当業者に既知のその他の組立方法を用いて、少なくとも１つの刃をハウジングに固定及び／又は装着することも可能である。クリップは、熱を伝導する、及び刃が腐食するのを防止するのを助けるための犠牲アノードとして作用する、アルミニウムなどの金属を含んでもよい。かみそりカートリッジは、かみそりカートリッジの所望の性能及びコストに応じて、任意の数の刃を有してよい。かみそりカートリッジは、例えば、１つの刃、２つの刃、３つの刃、４つの刃、５つの刃、６つの刃、７つの刃、又は更に多くの刃を有してもよい。刃の切れ味が悪くなった（又は損傷した）時点で、消費者は、皮膚相互連結部材からかみそりカートリッジを係合解除し、使用済みのかみそりカートリッジを新しいかみそりカートリッジと取り替えてもよい。
【００３２】
かみそりカートリッジのキャップは、ハウジングに装着される別の成形部品又は押出成形部品であってもよい。キャップは、例えば、剃毛補助剤が充填された収容容器又は押出成形された潤滑ストリップであってもよい。キャップは、例えば、皮膚を支持しかつ剃毛面を画定するための、プラスチック又は金属製のバーであってもよい。キャップは、ハウジングと同じ材料で成形若しくは押出成形されてよく、又は剃毛ストローク中の快適さを増すために、１つ以上の水滲出性の剃毛補助剤材料を有するより潤滑性のある剃毛補助剤複合材料で成形又は押出成形されてよい。
【００３３】
剃毛補助剤複合材料は、非水溶性ポリマーと、皮膚潤滑性の水溶性ポリマーと、を含んでもよい。使用可能な好適な非水溶性ポリマーは、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、及び例えばポリプロピレン／ポリスチレンブレンドであるＭｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してもよいなどのブレンドを含むが、これらに限定されない。好適な皮膚潤滑性水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートを挙げることができる。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（明成化学工業株式会社（京都）から入手可能）として知られるポリエチレンオキシドが挙げられてよい。これらのポリエチレンオキシドは、約１０万〜６００万、例えば、約３０万〜５００万の分子量を有してもよい。ポリエチレンオキシドは、約５００万の平均分子量を有するポリエチレンオキシド（例えば、ＰＯＬＹＯＸ  ＣＯＡＧＵＬＡＮＴ）の約４０〜８０％と、約３０万の平均分子量を有するポリエチレンオキシド（例えば、ＰＯＬＹＯＸ  ＷＳＲ−Ｎ−７５０）の約６０〜２０％とのブレンドを含んでもよい。ポリエチレンオキシドブレンドはまた、ＰＥＧ−１００などの低分子量（すなわち、約１０，０００未満の分子量）のポリエチレングリコールを最大約１０重量％まで含有してもよい。
【００３４】
剃毛補助剤複合材料はまた、シクロデキストリン（cylcodextrin）、ポリエチレングリコールなどの低分子量の水溶性放出促進剤（例えば、１〜１０重量％）、架橋ポリアクリル酸などの水膨潤性放出促進剤（例えば、２〜７重量％）、着色剤、酸化防止剤、防腐剤、殺菌剤、ひげ軟化剤、収れん剤、除毛剤、薬剤、コンディショニング剤、保湿剤、冷却剤などと、皮膚鎮静剤との複合体を含んでもよい。
【００３５】
かみそりカートリッジは、着脱可能なタイプであってもそうでなくてもよく、任意の好適なサイズ及び形状のものであってもよく、また、頂部表面と、底部表面と、前方側部と、後方側部と、を有するハウジングを備える。カートリッジは、１つ以上の切断縁部をハウジングに装着された１つ以上の刃を備える。カートリッジは、前方側部に向かってハウジングに取り付けられた前方刃を含む。前方刃は、ハウジングの前方側部に対して最も近位の刃である。
【００３６】
カートリッジはまた望ましくは、好ましくはハウジング内の少なくとも１つの開口部又はアパーチャの形態をなす、少なくとも１つのハンドル係合表面を備える。開口部は、前方刃の前方に配設されており、少なくとも１つの開口部は、ハウジングの頂部表面からハウジングの底部表面へとハウジングを通じて延在している。
【００３７】
本発明の好ましい実施形態では、カートリッジ開口部は、望ましくは漏斗状の形状を有し、カートリッジを通って（例えば、カートリッジの頂部表面からカートリッジの底部表面へと）延在する。漏斗形状の先細となる性質により、開口部の大きさに差が存在する。望ましくは、漏斗形状は、カートリッジの頂部表面と比べてカートリッジの底部表面上で開口部が大きくなるように配向される。本明細書に開示されるかみそりカートリッジは、参照により本明細書に組み込まれる、代理人整理番号１５１４０Ｐ、１５１４１Ｐ、１５１４２Ｐ、１５１４３Ｐ、１５１４４Ｐ、１５１４５Ｐ、１５１４６Ｐ、及び１５１４７Ｐを有する、同一所有者のものでありかつ同時係属中の米国特許出願に開示されているかみそりカートリッジを含み得る。
【００３８】
かみそりカートリッジは、かみそりカートリッジをハンドル上の少なくとも１つの皮膚相互連結部材と係合させることによって、ハンドルに取り付けられてもよい。かみそりカートリッジの後方側部における開口部の底側部は、ハンドルの少なくとも１つの皮膚相互連結部材上の対応する頂部塗布表面と係合する。皮膚相互連結部材が開口部を通じて押圧されると、皮膚相互連結部材はカートリッジの頂部表面上の開口部に接近する。
【００３９】
皮膚相互連結部材は、かみそりカートリッジの開口部内に実質的に包み込まれている。開口部の形状は、皮膚相互連結部材の形状と実質的に同様であり、そのため、皮膚相互連結部材がぴったりとフィットし、開口部内で実質的に移動しないようになっている。このようにして、ハンドルとカートリッジとの連結は堅牢でかつ確実となり、剃毛中の安全な環境を提供する。カートリッジ内の開口部が漏斗形状をなす場合、皮膚相互連結部材もまた望ましくは、相補的又は共形の様式で実質的に漏斗形状をなす。
【００４０】
本かみそりカートリッジは、制限の間で旋回してもよく、通常は、ハンドルに対して好ましい中立の角度位置に向かって付勢されてもよい。旋回制限及び付勢は、機械的制限のような当該技術分野において既知の任意の手段によって達成することができる。
【００４１】
皮膚相互連結部材の頂部又は塗布表面は、かみそりカートリッジの刃又は頂部表面と同じ平面上にあってもよく、あるいはそうでなくてもよい。
【００４２】
皮膚相互連結部材は、皮膚相互連結部材がカートリッジと係合された後に、かみそりシステム用の旋回機構を提供する。皮膚相互連結部材は、カートリッジハウジングに対して旋回しない。
【００４３】
かみそりカートリッジは、対応／対向する少なくとも１つの皮膚相互連結部材と機械的に整列されてもよい。対向する皮膚相互連結部材の間（例えば、かみそりカートリッジと少なくとも１つの皮膚相互連結部材との間）の力の方向は、少なくとも１つの皮膚相互連結部材に対するかみそりカートリッジの取外し及び取付けに必要な力に対して概ね横行してもよい（例えば、ハンドルの細長つかみ部分に対して概ね並行であってよい）。
【００４４】
図１Ａに示されるように、ハンドル１２は、少なくとも１つの皮膚相互連結部材２０を含んでもよい。皮膚相互連結部材２０は、ハンドル１２の長手方向軸に対して概ね横行して配設される要素である。皮膚相互連結部材２０は、皮膚に接触してあるいは接触せずに、皮膚とのハンドルの直接的なインターフェース又はハンドルの視認を可能にする頂部表面又は皮膚インターフェース表面２２を有する。皮膚相互連結部材２０は、旋回機構３０（図２Ｂ〜図２Ｃ及び図３Ｂ〜図３Ｃに、また図５により詳細に示される）を介してハンドルの近位端部分１６に対して旋回関係にある。皮膚相互連結部材２０は、ハンドルに対して旋回関係にあり、ハンドル１２の長手方向軸に対して概ね横行する軸Ａ１を中心として旋回する。
【００４５】
少なくとも１つの皮膚相互連結部材２０は好ましくは、皮膚インターフェース表面２２を備え、その皮膚インターフェース表面は、かみそりカートリッジ１５から妨害されることなく（例えば、流体又は熱を適用することによって）皮膚とインターフェースするが、皮膚に直接接触してもよく、あるいは直接接触しなくてもよい。少なくとも１つの皮膚相互連結部材２０は、ユーザーの皮膚に１つ以上の効果を提供してもよい。例えば、少なくとも１つの皮膚相互連結部材２０は、流体分配要素、皮膚を加熱若しくは冷却する熱要素、又はこれらの組み合わせを含んでもよい。皮膚相互連結部材２０はまた、皮膚振動要素若しくはスクラブ要素、ヘアトリマ、脱毛器、又はこれらの任意の組み合わせなどの他の消費者効果を含んでもよい。流体要素若しくは熱要素又はそれら両方は、少なくとも１つの皮膚相互連結部材２０内に設けられてもよい。流体要素若しくは熱要素又はそれら両方は、少なくとも１つの皮膚相互連結部材の表面から解放されてもよい。
【００４６】
図示された実施形態に示されるように、かみそりは、刃カートリッジユニット１５内の開口部１００（図１Ｂに示される）を通じてハンドル１２を延在させて、ハンドル効果送達構成要素を皮膚に接近させることを可能にすることにより、ユーザーの皮膚に効果を送達するように構成され得る。直接的ではあるが必ずしも接触はしない皮膚へのインターフェースをハンドル１２に提供する皮膚相互連結部材２０は、近位端部分１８に対して旋回関係にある。図１Ａの一実施形態に示されるように、ハンドル１２の皮膚相互連結部材２０の頂部皮膚インターフェース表面２２は、かみそりカートリッジ１５の頂部表面６７の一部分を形成してもよい。上述のように、頂部皮膚インターフェース表面２２は、ユーザーの皮膚に直接接触してもよく、あるいは直接接触しなくてもよい。
【００４７】
皮膚効果を提供するためのかみそりの２つのタイプの非限定的な実施形態が、本明細書に開示される。図２Ａ〜図２Ｄに示される第１の実施形態は、皮膚を加熱又は冷却することによってユーザーに効果を提供するタイプのかみそりに属する。図２Ａ及び図２Ｂにおいて、投影図１２１Ａ及び１２１Ｂは、この第１の実施形態の頂面斜視図及び底面斜視図を提示している。この第１の実施形態は、ハンドル１２と、ハンドル１２に解放可能に取り付けることができ、１つ以上の刃１７を収容し得る刃カートリッジユニット１５と、皮膚加熱効果を送達し得る皮膚相互連結部材２０と、を有し得る。刃カートリッジユニット１５は、ハンドル１２の近位端部１６に装着されたカートリッジ排出機構３９を使用して分離されてもよい。かみそりハンドル１２は、旋回機構３０を使用して回転軸Ａ１を中心として、また旋回機構３８を使用して回転軸Ａ４を中心としてかみそりカートリッジ１５を回転させるように構成されてもよい。ハンドル１２の一部分は、刃カートリッジユニット１５を通じて延在してもよく、また以下でより完全に論じられる熱表面１１２として露出されてもよい。図１Ａに示され、また、刃カートリッジユニット１５が取り外されている図２Ｃ及び図２Ｄに更に詳細に示されるように、熱表面１１２は皮膚相互連結部材２０の表面であり、剃毛中にユーザーに冷却又は加熱効果を送達するために使用され得る。皮膚相互連結部材２０の加熱又は冷却は、皮膚効果アクチュエータ１３を押すことによって達成され得るが、その皮膚効果アクチュエータは、押下可能なボタン、タッチセンシティブボタン、又はスライディングボタンであってよく、またハンドル１２の内側にある動力回路を皮膚相互連結部材２０の内側にある回路に対して閉鎖するものである。ハンドル１２は、皮膚相互連結部材２０に電力を供給する１つ以上の電池（図示せず）などの電源を保持してもよい。皮膚相互連結部材２０の加熱又は冷却はまた、例えば、皮膚相互連結部材２０を、周囲とは異なる温度の水に浸漬するかあるいはその水の中で稼働させることによって、受動的に達成され得る。特定の実施形態では、皮膚相互連結部材２０は、アルミニウム又はステンレス鋼などの金属を含んでもよい。特定の実施形態では、皮膚相互連結部材２０は、金属又は相変化材料などの高容量材料を含んでもよい。特定の実施形態では、皮膚相互連結部材２０は、銅、アルミニウムなどの高熱伝導性材料、又はＣＯＯＬＰＯＬＹ（登録商標）などの熱伝導性プラスチックを含み得る。本明細書に開示されるかみそりハンドル１０は、参照により本明細書に組み込まれる、代理人整理番号１４５３２ＦＱを有する、同一所有者のものでありかつ同時係属中である米国特許出願に開示された皮膚相互連結部材２０を含み得る。
【００４８】
図３Ａ〜図３Ｄは、ユーザーの皮膚に流体を送達することによって皮膚効果を提供し得る剃毛かみそり１０の別の実施形態を示す。図３Ａ及び図３Ｂにおいて、投影図１２２Ａ及び１２２Ｂは、この実施形態の頂面斜視図及び底面斜視図を提示している。この実施形態は、ハンドル１２と、ハンドル１２に解放可能に取り付けることができ、１つ以上の刃１７を収容し得る刃カートリッジユニット１５と、ユーザーの皮膚に流体を送達することによって皮膚効果を提供し得る皮膚相互連結部材２０と、を有し得る。刃カートリッジユニット１５は、ハンドル１２の近位端部１６に装着されたカートリッジ排出機構３９を使用して分離されてもよい。図示の実施形態では、かみそりハンドル１２は、旋回機構３０を使用して回転軸Ａ１を中心にかみそりカートリッジ１５を回転させるように構成されている。図１Ａの皮膚インターフェース表面２２及び図２Ｂ及び図２Ｄの熱表面１１２と同様に、ハンドル１２の一部分が刃カートリッジユニット１５を通じて延在し、表面８０として露出され得る。表面８０は、皮膚相互連結部材２０の表面であり、剃毛中の皮膚の快適性のために流体が分配され得る開口部７８を有し得る。ハンドル１２内のリザーバからの流体流れは、皮膚効果アクチュエータ１３を押すことによって達成され得るが、その皮膚効果アクチュエータは、皮膚相互連結部材２０に向かってまたそれを通じて流体を押し込むためにポンピング機構を起動させる押下可能なボタン、タッチセンシティブボタン、又はスライディングボタンであってよい。ポンピング機構は、流体リザーバの圧縮、手動ポンプの作動、又は電動ポンプの起動を含み得る。本明細書に開示されるかみそりハンドルは、参照により本明細書に組み込まれる、代理人整理番号１５１３６Ｐ、１５１３７Ｐ、１５１３８Ｐ、１５１６２Ｐ、１５１６３Ｐ、１５１６４Ｐ、１５１６５Ｐ、１５１６６Ｐ、１５１６７Ｐ、１５１６８Ｐ、１５１６９Ｐ、１５１７０Ｐを有する、同一所有者のものでありかつ同時係属中の米国特許出願に開示されている皮膚相互連結部材を含み得る。
【００４９】
本発明のハンドル１２から消費者効果を提供することは、安全な製品の設計と良好な製品保全性（例えば、偶発的な落下の場合）とのバランスを調整すること、剃毛ストロークが皮膚を緊密に追跡するのに必要な旋回軸の周りで皮膚相互連結部材２０の皮膚インターフェース表面２２へとハンドル１２から効果を送達すること、並びに、以下で更に詳細に論じられるカートリッジ排出機構３９と旋回機構３０及び３８などのハンドル１２の他の機能的構成要素の中でも、送達効果構成要素を適合させること、という難題を解決することを理解されたい。本発明において効果送達要素のうちのほとんどではなくとも多くをハンドル内に配設することにより、そのハンドルは、市場に一般に見られるほとんどの湿式剃毛かみそりシステムの２倍〜３倍以上の重量を有し得るため、良好な製品保全性を伴って安全な製品を設計することは難題である。例えば、ほとんどの既存の剃毛かみそりハンドルは５６グラム未満の重量を有し、大多数は４５グラム未満の重量を有する。本発明の消費者効果を送達するハンドルは、好ましい質量を約８０グラムとして、最大で約１２０グラムの質量を有し得る。いくつかの実施形態では、ハンドル１２は、約５７グラム〜約１５０グラム、より好ましくは約８０グラムの質量を有し得る。このようなハンドルは、本発明において「重い」ハンドルと見なされる。図２Ａ〜図２Ｂに示されるハンドルの実施形態は約７５グラムの質量を有し、図３Ａ〜図３Ｄに示されるハンドルの実施形態は約８５グラムの質量を有する。
【００５０】
かみそりカートリッジ１５は、ハンドルがかみそりカートリッジに近接して配されたとき、また皮膚相互連結部材２０とかみそりカートリッジ開口部１００とが位置合わせされたとき、ハンドル１２に接続してもよい。この構成は、とりわけ、かみそりカートリッジとハンドルとの逆接続を防止する。また、この構成は、とりわけ、かみそりカートリッジとハンドルとの迅速で、容易で、直感的で、かつ安全な接続を容易にする。
【００５１】
図１Ａ及び図１Ｂのかみそりカートリッジ１５は望ましくは、かみそりカートリッジ１５をハンドル１２の近位端部分１６に交換可能に固定するように、皮膚相互連結部材２０と解放可能に係合されてもよい。このかみそりカートリッジは、ハウジング３２と、ガード３４と、キャップ３６と、少なくとも１つの刃１７と、を含んでもよい。少なくとも１つの皮膚相互連結部材２０は、力の作用によってかみそりカートリッジ１５から解放されてもよい。加えて、少なくとも１つの皮膚相互連結部材２０は、他の好適な機構によって、あるいは他の好適な機構と力の作用の組み合わせによって解放されてもよい。少なくとも１つの皮膚相互連結部材は、例えば機械的解放機構を介してかみそりカートリッジから解放されてもよい。
【００５２】
例えば、図１Ａ、図２Ａ、及び図３Ａに示される機械的解放機構３９は、ハンドルの近位端部分１６から延在してもよく、ハンドル１２の一部分内に含められ得る排出ボタンを備えてもよい。ユーザーは、ボタンを押すかあるいは作動させることによって、少なくとも１つの皮膚相互連結部材２０からかみそりカートリッジ１５を機械的に解放してもよい。機械的カートリッジ解放機構３９は次いで、例えば、少なくとも１つの皮膚相互連結部材２０を押すことができる。かみそりカートリッジ１５は、少なくとも１つの皮膚相互連結部材２０ともはや連結しなくなる。かみそりカートリッジ１５は次いで、ハンドル１２から解放され得る。
【００５３】
ほとんどの既存のかみそりは、ハンドル１２に取り付けられたときにかみそりカートリッジ１５から１ミリメートル以内に装着された機械的カートリッジ解放機構３９を有しており、カートリッジ１５を分離するために排出ボタンが２．５ｍｍ未満移動することを必要とする。既存のかみそりとは異なり、図１Ａに示されるかみそり１０の機構３９は、かみそりカートリッジ１５から約３ｍｍに装着されており、カートリッジを分離するために、排出ボタンが約５ｍｍ移動することを必要とする。
【００５４】
皮膚相互連結部材２０は、約２０ｍｍ〜約４０ｍｍの望ましい長さ、及び約２ｍｍ〜約５ｍｍの幅を有する。皮膚相互連結部材２０は、望ましくは約３００ｍｍ３を超える体積を有する。長さ及び幅及び最小容積は、消費者効果がユーザーの皮膚に効果的に送達されるのに十分な面積及び体積を提供するように適切に選定される。皮膚相互連結部材２０の頂部表面積２２は、約４０ｍｍ２〜約１２０ｍｍ２、好ましくは約８０ｍｍ２〜約８５ｍｍ２の範囲にある。
【００５５】
少なくとも１つの皮膚相互連結部材２０は、任意の好適な寸法及び形状で構成されてよい。例えば、少なくとも１つの皮膚相互連結部材２０は、湾曲した表面、平坦な表面、又はこれらの任意の組み合わせを備えてよい。少なくとも１つの皮膚相互連結部材２０は、刃カートリッジユニット１５に取り付けることと、ハンドル１０に取り付けられた刃カートリッジユニット１５への、またそれを通じたハンドル１２からの皮膚快適効果の送達を容易にすることと、の両方に対して有益な伝導性の形状を有し得る。
【００５６】
少なくとも１つの皮膚相互連結部材２０の形状は、代替的に、「漏斗」又は「先細」又は「台形プリズム形状」として記述され得る。本明細書の説明から理解されるように、「台形プリズム」という記述は、旋回ヘッドの全体的な視覚的印象に関して一般的である。例えば、図４Ａ〜図４Ｄは、台形プリズム形状の要素の概略図１２３Ａ及び１２３Ｂを示し、比較的広い上面（又は開口部）２５と、比較的狭い下面２４と、２つの長い主面２６と、概ね台形の形状をなす２つの端面２８と、を有する形状を示す。図４はまた、皮膚相互連結部材２０の概ね台形プリズム又はプリズム状の形状４５を示す、本発明のハンドルの皮膚相互連結部材２０の一実施形態の拡大側面図１２３Ｃ、及び概ね「台形プリズム」の形状を生成する皮膚相互連結部材２０の一実施形態の構成要素の分離図１２４Ｄを示す。
【００５７】
「台形プリズム」という記述は、本明細書では、皮膚相互連結部材の全体的な視覚的外観に対する最良の記述として使用されるが、この記述は、本明細書に記載されるもの以外のいかなる特定の幾何学的又は寸法的要件も意味しない。すなわち、カバー部材を含む皮膚相互連結部材は、完全な縁部又は表面を有する必要はない。更に、縁部は、破断しておらずかつ真っ直ぐである必要はなく、側部は破断しておらずかつ平坦である必要はない。代替的に、台形プリズム又はプリズム状の形状は、一般に、１対の対向する面がより大きいサイズからより小さいサイズに向かって先細になる多面体を一般的に意味し得る。サイズのより大きい面は、望ましくはハンドルに向かって配設され、サイズのより小さい面は、望ましくはかみそりカートリッジに向かって配設される。このように、本発明の実施形態における皮膚相互連結部材の先細形状は望ましくは、かみそりカートリッジ内の対応する先細形状と結合されて、ハンドルをカートリッジと係合させる。対応する形状は、ユーザーにとってより直感的なものであり、より良好な取り付け及び分離を可能にし得、また、取り付け及び分離の間により低い力を必要とする一方で、剃毛及びトリミング中の良好な保持を可能にし得る。カートリッジ表面積が（例えば、皮膚相互連結部材の頂部表面上で）より小さくなっているため、皮膚相互連結部材の先細形状は、より大きな容積を提供し、したがって、ユーザーにとってより大きな効果を提供することができる。
【００５８】
また、三角形プリズム、球体、楕円体、円筒形、四辺形、平行四辺形、矩形、正方形、バー、又はこれらの任意の組み合わせなど、任意の他の実現可能な形状、プリズム、及び他のものも想到される。
【００５９】
ハンドルをかみそりカートリッジに接合又は嵌合するために、カートリッジは望ましくは、皮膚相互連結部材が内部に配設される皮膚相互連結部材の形状と同様の対応する形状を有する。皮膚相互連結部材は、ハンドルをカートリッジに固定するためにかみそりカートリッジにラッチ係合してもよい。一実施形態において、かみそりカートリッジは、ハンドルの近位端部分にかみそりカートリッジを交換可能に固定するために、少なくとも１つの皮膚相互連結部材と解放可能に係合される。
【００６０】
図５Ａ〜図５Ｂに、皮膚相互連結部材２０及び本実施形態の軸Ａ１を中心とした回転を可能にする旋回機構３０の構成要素がより詳細に示されている。図示の実施形態は、図３Ａ〜図３Ｄのかみそりハンドル１２である。拡大図１２４Ａ及び分解図１２４Ｂにおいて、皮膚相互連結部材２０は、基部要素５８とカバー５４とを含んでおり、カバー５４は基部５８の上に配設されている。カバー５４は頂部表面５２を備え、この頂部表面は、（例えば、カートリッジを介して）ユーザーの皮膚に流体又は熱効果などの効果を適用するための平面的な適用表面であってもよい。頂部表面５２は、その外周に沿ってリム５６を有してもよい。リム機構は、カートリッジと嵌合する係合機構として使用される。追加的にあるいは代替的に、それを通じて流体を分配するための１つ以上のポート５３が、適用表面上に配設されてもよい。ハンドル１２は望ましくは、近位端部１６に一対の近位アーム２７を有し、皮膚相互連結部材又はハンドルは、これらの近位アーム２７に連結された一対のブラケットアーム５９を含んでもよい。図５Ｂの分解図１２４Ｂは、皮膚相互連結部材２０がハンドル１２に対して軸Ａ１を中心とした運動を提供するための旋回機構３０が望ましくは、皮膚相互連結部材２０内の支持表面５３（例えば、くぼんだ部分、空洞）及び１つ以上のアーム５９上のそれに対応する軸受表面５７と、１つ以上のばねを有するばね復帰要素５５と、を備えることを示している。本発明におけるこの軸及び他の軸（例えば、回転軸Ａ４又は後に詳細に述べられる回転軸Ａ３）を中心とした運動は、ピン軸受若しくはシャフトなどの軸に沿って直接載置され得る軸受によって可能にされてもよく、あるいは仮想的な旋回によって作り出される回転軸からオフセットされてもよい。仮想的なピボット軸受は、シェル軸受及びリンク機構を含む。
【００６１】
少なくとも１つの皮膚相互連結部材２０は、例えば、図５に示されるように個々の構成要素を組み立てることで旋回機構を生み出すことによって、少なくとも１つの皮膚相互連結部材とハンドル又はハンドルの一部分との共射出成形などの技術を用いて曲げ旋回を生み出すことによって、あるいは、皮膚相互連結部材をハンドルに又はその逆に圧入又は圧力嵌めすることで軸受を生み出すことによって、ハンドル１２の近位端部分１６に対して旋回関係をなしてよい。
【００６２】
図６Ａ〜図６Ｄに、本発明のハンドル１２及び刃カートリッジユニット１５が非偏向の無負荷休止位置にある状態で、かみそり１０の図形的レイアウトが示されている。一般に、刃カートリッジユニット１５の皮膚接触表面６７は通常、刃カートリッジユニット１５がその休止位置にあるとき、カートリッジ平面ＰＬ１上に位置するかあるいはカートリッジ平面ＰＬ１から数ミリメートル内側に位置する。一般に、平面ＰＬ２は、ハンドル本体２１のほぼ中間の平面に沿って位置するカートリッジ平面ＰＬ１に対して角度をなして配向されてもよい。平面ＰＬ１とＰＬ２との間のこのＰＬ１−ＰＬ２の内角は、約−６０度〜約＋９０度の範囲に及び得る。ＰＬ１−ＰＬ２の内角のより狭い優先範囲は、約−４５度〜約＋４５度である。本発明の図は、約＋１６度のＰＬ１−ＰＬ２の内角を示す。一般に、平面ＰＬ３は、ハンドルネックエリア２３のほぼ中間の平面に沿って位置する主ハンドル本体２１の中間平面ＰＬ２に対して角度をなして配向されてもよい。平面ＰＬ２とＰＬ３との間のこのＰＬ２−ＰＬ３の内角は、約−１００度〜約＋１００度の範囲に及び得る。ＰＬ２−ＰＬ３の内角のより狭い優先範囲は、約−４５度〜約＋９０度である。本発明の図は、約＋２１度のＰＬ２−ＰＬ３の内角を示す。一般に、平面ＰＬ４は、ハンドル１２及び刃カートリッジユニット１５のほぼ中間の平面においてハンドル１２に沿って長手方向に位置する平面ＰＬ１、ＰＬ２、及びＰＬ３に対して垂直に規定され得る。
【００６３】
図６Ｃ〜図６Ｄに示されるように、本発明のハンドルの様々な構成要素に対する付加的な回転軸又は直線運動の方向は、概ねＰＬ２、ＰＬ３、及びＰＬ４を用いて規定され得る。ハンドル本体２１に沿った軸Ａ２は、平面ＰＬ２とＰＬ４との交点として定義され得るものであり、ハンドルネックエリア２３に沿った軸Ａ３は、平面ＰＬ３とＰＬ４との交点として規定され得るものである。ハンドルネックエリア２３内の別の軸Ａ４は、平面ＰＬ３に対して垂直をなし、平面ＰＬ４上に位置するものとして規定され得る。ハンドル本体２３内の別の軸Ａ５は、図１２Ａ及び図１２Ｂに示されるように、平面ＰＬ２に対して垂直をなし、平面ＰＬ４上に位置するものとして定義され得る。
【００６４】
図２Ｃ〜図２Ｄ、図３Ｃ〜図３Ｄ、及び図５Ａ〜図５Ｂに示されるように、旋回軸Ａ１を中心とするピッチ型運動を提供する旋回機構３０（例えば、ばね復帰要素、ブラケットアーム）は、皮膚相互連結部材２０に対して最も近位にある。本発明によれば、ハンドル１２及び皮膚相互連結部材２０は、図６Ｃに示されるように、軸Ａ１に加えて他の軸を中心として回転してもよい。他の実施形態が、軸Ａ１、Ａ２、Ａ３、Ａ４、Ａ５、又はこれらの任意の組み合わせを中心として皮膚相互連結部材を回転させるように構成されてもよい。例えば、ハンドルに対する剃毛かみそり内の回転軸は、軸Ａ１を中心とするピッチ型運動だけでなく、図６Ｃ〜図６Ｄ及び図１２Ａ及び図１２Ｂに示されるように軸Ａ２又はＡ３を中心としたロール運動、及び軸Ａ４又はＡ５を中心としたヨー運動も含む。
【００６５】
図１Ａ及び図２Ｂに示される一実施形態では、軸Ａ４に沿ってハンドルに対する皮膚相互連結部材の左右（ヨー）型の回転運動を提供する旋回機構３８は、ばね復帰要素（例えば、ポッド内に配置されたばね（図示せず））を備える底部ポッド１９を備える。同様の移動が、ＧＩＬＬＥＴＴＥ（登録商標）Ｆｌｅｘｂａｌｌ（商標）かみそりに見出される。別の実施形態では、軸Ａ３に沿ったハンドルに対する皮膚相互連結部材の代替的なロール回転運動を提供する構造が、Ｇｉｌｌｅｔｔｅ（登録商標）Ｖｅｎｕｓ（登録商標）Ｓｗｉｒｌ（商標）かみそりに見られるようなローリング機構を含んでもよい。
【００６６】
図７は、本発明による旋回点領域Ｒを示すかみそりシステム１０の断面図９０である。皮膚相互連結部材２０は、ハンドル１２をカートリッジに固定するためにかみそりカートリッジ１５に接合又はラッチ係合される。図示のように、前方向はカートリッジの前方（例えば、前刃に向かって）に向かっており、後方向はカートリッジの後方側部に向かっている（例えば、潤滑ストリップに向かっている）。更に、上方向は、方向性としてカートリッジの頂部表面に向かっており、下方向は、方向性としてカートリッジの底部表面に向かっている。旋回点は一般に、回転軸上の点である。この実施形態では、旋回点Ｐは、かみそりカートリッジ１５がその休止位置にあるとき、ハンドル１２の長手方向軸Ａ２又は長手方向軸Ａ３に対して概ね横行する旋回軸Ａ１の位置に配設される。旋回点Ｐはまた、この軸Ａ１に対して垂直な、ハンドル本体２１及び休止位置にあるかみそりカートリッジ１５の中間平面ＰＬ４上に配設される。良好な剃毛性能のために、旋回点Ｐは好ましくは、前方刃縁部８２から最大で約３．５ｍｍ前方にあり、前方刃縁部から最大で約１１ｍｍ後方にあり、剃毛平面Ｓから最大で約１ｍｍ上方にあり、剃毛平面Ｓから最大で約２．５ｍｍ下方にある領域Ｒ内に位置する。領域Ｒのうちの剃毛平面Ｓの上方にある部分は一般に、皮膚内に配設される部分である。領域Ｒのうちの剃毛平面Ｓの下方にある部分は一般に、皮膚から離れて配設される部分である。かみそりカートリッジ又は皮膚相互連結部材の外側の旋回点位置は、仮想旋回によって作り出されてもよい。
【００６７】
図８は、皮膚相互連結部材２０の頂部表面８８に適用表面の平面Ｂを有するかみそりシステム１００の断面図を示す。平面Ｂは、皮膚相互連結部材２０の頂部表面８８において剃毛平面Ｓと実質的に平行である。剃毛平面Ｓに垂直な平面Ｑは、点Ｃにおいて平面Ｂと交差する。図９に示される一実施形態では、遠位点Ｃは望ましくは、皮膚相互連結部材の頂部表面８８の後方角部にある。旋回点Ｐは、図８と同じ位置にある。
【００６８】
図９は、かみそりカートリッジ１５を伴わずに皮膚相互連結部材２０及びハンドル１２を示す、図９のシステムの代替的な断面図１１０を示す。図８のように、皮膚相互連結部材２０は、最頂部の点８５において頂部表面８８に対して実質的に平面的である適用表面の平面Ｂを含む。点Ｃは、平面Ｂと平面Ｑとの交点に形成される。平面Ｑは、平面Ｂに対して垂直をなすものとして規定され、皮膚相互連結部材２０の後方表面８９に最も近い最後方点８７上に位置し、点８７は、平面Ｂから２ｍｍ内にある。好ましくは、平面Ｂは、ハンドルの対応するかみそりカートリッジの剃毛平面Ｓに実質的に平行である。点Ｃは、本発明において、皮膚相互連結部材又はかみそりカートリッジ上に配設されてもよく、あるいは配設されなくてもよい。図１０に示す実施形態では、点Ｃは皮膚相互連結部材２０の表面上の物理的な点ではない。旋回点Ｐ２は図８と同じ位置に表されているが、旋回点Ｐ２を中心とする旋回機構は、いかなるカートリッジ構成要素によって形成されるものでもなく、カートリッジ２０をハンドル１２に接合することによって形成されるものでもなく、むしろ旋回点Ｐ２は、ハンドル内に収容された構成要素によって完全に形成されることに留意されたい。
【００６９】
良好な剃毛性能のために、旋回点Ｐ２は好ましくは、点Ｃから（カートリッジの前方側部に向かって）最大で約２．００ｍｍ前方にあり、点Ｃから最大で約１２．５ｍｍ後方にあり、部材平面Ｂから最大で約２ｍｍ上方にあり、部材平面Ｂから最大で約２．５ｍｍ下方にある領域Ｒ２内に位置している。領域Ｒ２のうちの部材平面Ｂの上方にある部分は概ね、皮膚の中に配設される部分である。領域Ｒ２のうちの部材平面Ｂから下方にある部分は一般に、皮膚から離れて配設される部分である。かみそりカートリッジの外側の旋回点位置は、仮想旋回によって作り出されてもよい。
【００７０】
消費者の異なる習慣、挙動、及び剃毛効果の好みを満たすために、様々なかみそりハンドルとかみそりカートリッジとを備えたかみそりシステムアレイが、好ましくは、皮膚相互連結部材を有する多種多様なハンドルを比較的により少数の対応するかみそりカートリッジに取り付ける柔軟性と共に求められている。更に、消費者の混乱を回避し、製造コストを低減させるためには、任意のカートリッジが、任意のハンドルに解放可能に取り付けられ得る一方で、ハンドルから皮膚相互連結部材を通じて効果を送達すると共に、快適性、接近性、及び効率の面から良好な剃毛性能を提供するように、剃毛かみそりシステムアレイが設計され得るならば好ましい。
【００７１】
図１０Ａ〜図１０Ｈに、かみそりカートリッジ１５及び皮膚相互連結部材２０の頂部表面の概略図が示されている（すなわち、皮膚相互連結部材２０を含むことを除いて図１Ｂの投影図１２０Ａと同様）。各投影図は、キャップ３６、ガード３４、皮膚相互連結部材２０に嵌合する対応するカートリッジ形状４７、及び最初の刃縁部８２を含んだ刃１７を示している。図１０に示される投影図１２５Ａ〜１２５Ｄ及び投影図１２６Ａ〜１２６Ｄでは、かみそりハンドル１２の皮膚相互連結部材２０の形状に嵌合又は接合する、かみそりカートリッジ１５内の対応するカートリッジ形状４７が、かみそりカートリッジのガード３４内の任意の位置に配置されてよい。これらの位置は、かみそりカートリッジ１５の前方ガード壁の区間が皮膚相互連結部材２０の外周を完全には取り囲まない、投影図１２５Ｄ及び１２６Ｄに示されるかみそりカートリッジ構成をも含む。これらのカートリッジ構成では、ガード３４の残存する前方ガード壁部分４８は、皮膚相互連結部材２０の少なくとも一部の前方に残留して、かみそりカートリッジ１５を皮膚相互連結部材２０に嵌合又はラッチ係合することを可能にする。
【００７２】
皮膚相互連結部を有する様々な異なるかみそりハンドルと、任意のカートリッジが任意のハンドルに適合する様々な異なるかみそりカートリッジと、からなる剃毛かみそりシステムアレイが好ましくは、可能な限り第１の刃８２に近接して位置付けられる対応するカートリッジ形状４７を有する。このような位置は、皮膚相互連結部材２０を通じた様々なハンドル効果の良好な送達と、様々なカートリッジを使用した良好な剃毛性能とを可能にし得るものである。投影図１２５Ａ〜１２５Ｄに示されるカートリッジ形状４７の位置を有する実施形態は、投影図１２６Ａ〜１２６Ｄに示される実施形態に好ましい場合がある。
【００７３】
更に、かみそりハンドルとかみそりカートリッジは、最適に一緒に機能するように設計されているため、皮膚相互連結部材を有する様々な異なるかみそりハンドルと、任意のカートリッジが任意のハンドルに適合する様々な異なるかみそりカートリッジと、からなる剃毛かみそりシステムアレイは好ましくは、図８及び図９に示される点Ｃと、領域Ｒ内に収容された主要なカートリッジ機構との間に一定の距離を有する。任意のカートリッジにおいて機能し、皮膚相互連結部材を使用する任意のハンドルに適合する、２つの非限定的なかみそりカートリッジの実施形態が図１１Ａ及び図１１Ｂに示されている。投影図１２０は５枚刃のかみそりカートリッジに対応し、投影図１３０は３枚刃のかみそりカートリッジを示している。両方の図において、点Ｃとかみそりカートリッジの主要機構との間の剃毛平面Ｓに平行な距離は、Ｄ１、Ｄ２、Ｄ３、Ｄ４、Ｄ５、Ｄ６、及びＤ７を含むように規定される。Ｄ１は、点Ｃと、最初の刃縁部８２に最も近いガード３４上のガード点９９との間の剃毛平面Ｓに平行な距離である。Ｄ２は、点Ｐと最初の刃縁部８２との間の剃毛平面Ｓに平行な距離である。Ｄ３は、点Ｃと２番目の刃縁部８３との間の剃毛平面Ｓに平行な距離である。Ｄ４は、点Ｃとカートリッジの全ての刃縁部との間の剃毛平面Ｓに平行な平均距離である。平均距離の位置は、点８４によって与えられる。図１１Ｂの投影図１３０において、かみそりカートリッジ１５は３枚の刃のみを収容しているため、Ｄ４はＤ３に等しく、点８４は２番目の刃縁部８３上にある。Ｄ５は、点Ｃと最後の刃縁部８５との間の剃毛平面Ｓに平行な距離である。Ｄ６は、点Ｃと最後の刃縁部８５に最も近いキャップ３６上のキャップ点８６との間の剃毛平面Ｓに平行な距離である。Ｄ７は、点Ｃとキャップ３６上の最も高いキャップ点８１との間の剃毛平面Ｓに平行な距離である。任意のカートリッジが任意のハンドルに適合する剃毛かみそりシステムアレイの設計に応じて、Ｄ１、Ｄ２、Ｄ３、Ｄ４、Ｄ５、Ｄ６、Ｄ７又はそれらの任意の組み合わせが、カートリッジとハンドルの全ての組み合わせに対して一定に保たれ得る。Ｄ１の好ましい距離は、約０．５ｍｍ〜約２ｍｍであり、Ｄ２に関しては、約０．９ｍｍ〜約２．４ｍｍであり、Ｄ３に関しては、約１．３ｍｍ〜約３．０ｍｍである。
【００７４】
少なくとも皮膚相互連結部材２０は、ハンドル１２の近位端部分１６か遠位端部分１８のいずれか、又はそれらの両方に対して旋回関係にあってもよい。少なくとも１つの皮膚相互連結部材２０は、例えば、ばね、ジョイント、ヒンジ、軸受、又は少なくとも１つの皮膚相互連結部材がハンドルに対して旋回関係をなすことを可能にする任意の他の好適な接続によって、ハンドル１２に対して旋回関係をなしてもよい。少なくとも１つの皮膚相互連結部材は、１つ以上のばねと、ピンピボット、シェルベアリング、リンケージ、回転ジョイント、回転ヒンジ、プリズムスライダ、プリズムジョイント、円筒ジョイント、球ジョイント、ボールソケットジョイント、平面ジョイント、スロットジョイント、減速スロットジョイント、若しくは任意の他の好適なジョイント、又は、玉軸受、円筒ピン軸受、若しくは転動体スラスト軸受などの１つ以上のばね及び１つ以上の転動体軸受などの１つ以上の滑り接触軸受と、を収容した機構を介して、ハンドル１２に対して旋回関係をなしてもよい。滑り接触軸受は典型的には、０．１〜０．３の摩擦レベルを有し得る。転動体軸受は典型的には、０．００１〜０．０１の摩擦を有し得る。平滑な運動を確実にし、軸受がこう着するのを防止するために、より低摩擦性の軸受が好まれるほど、旋回機構はその回転軸からより大きく偏倚されることになる。
【００７５】
典型的には、軸Ａ１を中心とする旋回機構は、カートリッジ静止位置から約０度〜約５０度の範囲に及ぶ回転運動を可能にする。軸Ａ１を中心とする旋回機構の回転剛性は、ピボットを２５度偏向させ、この位置を維持するのに必要なトルクを測定することによって測定されてもよい。追加的に、５０度の回転におけるトルクレベルは、一般に２０Ｎｍｍ未満である。Ａ１旋回軸に関連付けられる回転剛性（回転軸の周りで測定されたトルクを回転角度で割ったもの）は、一般に、回転角度当たり０．３Ｎｍｍ未満、好ましくは回転角度当たり０．０５Ｎｍｍ〜回転角度当たり０．１８Ｎｍである。
【００７６】
典型的には、軸Ａ２又はＡ３（図６Ｃに示す）を中心とする旋回機構は、−４０度〜＋４０度の範囲の回転運動を可能にする。軸Ａ４（図１Ａ、図２Ａ、及び図６Ｃに示される）又は軸Ａ５（図１２Ｂに示される）を中心とする旋回機構は典型的には、−２０度〜＋２０度の範囲の回転運動を可能にする。軸Ａ２、軸Ａ３、軸Ａ４、又は軸Ａ５を中心とする旋回機構の回転剛性は、ピボットを−５度及び＋５度、偏向させ、この位置を維持するのに必要なトルクを測定することによって測定されてもよい。回転剛性は、これらの測定トルクの差の絶対値を、角運動の１０度で割ることによって計算されてもよい。軸Ａ２、Ａ３、Ａ４、又はＡ５を中心とする旋回機構に関連付けられる回転剛性は一般に、回転角度当たり約０．８Ｎｍｍ〜約２．５Ｎｍｍの範囲にあり得る。
【００７７】
図５Ａに、皮膚相互連結部材２０及び本実施形態の軸Ａ１を中心とした回転を可能にする旋回機構３０の構成要素がより詳細に示されている。ハンドル１２の近位端部分１６は、一対のブラケットアーム５９、ばね復帰要素５５、及び効果送達連結部７１によって皮膚相互連結部材２０に連結されている。図５Ｂに示される実施形態では、ばね復帰要素は金属から作製される。かみそり１０又はかみそりハンドル１２が「固化」すること、すなわち、かみそり１０又はかみそりハンドル１２が不適切に保管されていたときに、皮膚相互連結部材をハンドルの近位端部に連結する構成要素の応力緩和が原因で、偏向した角度で永久的に変形することを防止するのに役立ち得るため、金属、ポリエーテルエーテルケトン、又はシリコーンゴムなどの応力緩和耐性材料で作製されたばね復帰要素を備える旋回機構が好ましい。
【００７８】
更に、図２Ｂに示されるフレキシブル回路素子及び旋回機構の図３Ｂ及び図５Ａの流体送達要素など、効果送達連結部７１は通常、応力を緩和する材料から構成されているので、応力緩和耐性材料から作製されたばね復帰要素の回転剛性は、旋回機構の回転剛性よりも５０％超、高いことが好ましい。ばね復帰要素単独の回転剛性は、皮膚相互連結部材２０及びハンドル１２の近位端部１６との接触点において効果送達連結部７１を切断することによって測定され得る。この好ましい構成を別の形で述べれば、旋回機構の回転剛性は、当該効果送達連結部がハンドルの近位端及び皮膚相互連結部材において分離された状態にある当該旋回機構の回転剛性の２倍を超えるということである。また、好ましくは、当該効果送達連結部がハンドルの近位端及び皮膚相互連結部材において分離された状態にある当該旋回機構の回転剛性の５倍を超えるということである。この好ましい構成は、かみそり１０又はかみそりハンドル１２が「固化」し得る確率及び条件を大幅に減少させる。軸Ａ１、軸Ａ２、軸Ａ３、軸Ａ４、軸Ａ５、又はこれらの任意の組み合わせを中心とする旋回機構の回転剛性は（効果送達連結の有無にかかわらず）、上記で概説した手順によって測定され得る。
【００７９】
かみそり内に皮膚相互連結部材を有することは、かみそり構成要素の構造及び連結の順序付けを阻害しない。本発明は、剃毛かみそりの様々な構成要素の連結の順序を変更させながらも、軸Ａ１、Ａ２、Ａ３、Ａ４、及び／又はＡ５を中心とする運動も可能にし得ることを企図する。剃毛かみそりの構成要素は一般に、かみそりカートリッジ１５、ハンドル１２、皮膚相互連結部材２０、並びに、軸Ａ１、Ａ２、Ａ３、Ａ４、及び／又はＡ５を中心とする運動を提供する機構又は構造を含む。これらの運動を提供する機構及びその構成要素は、好ましくはハンドル内に見出される。
【００８０】
図１２Ａの投影図１２７Ａに示される一実施形態では、これらの剃毛かみそり構成要素の物理的連結の順序は、ハンドル１２の遠位端部分１８から最も遠く離れたところから開始して、（１）かみそりカートリッジ１５、（２）皮膚相互連結部材２０、（３）軸Ａ１を中心とする回転を可能にする機構３０（例えば、図５Ｂに記載される実施形態に示されるばね及びブラケットアームなどの構成要素）、（４）軸Ａ４を中心とする回転を可能にする機構３８（例えば、ジレット（Gillette）（登録商標）Ｆｌｅｘｂａｌｌ（商標）及び参照により本明細書に組み込まれる、代理人整理番号１５１４８Ｐを有する同一所有者の同時係属中の米国特許出願に開示されている構成要素）、並びに（５）ハンドル１２、である。すなわち、かみそりカートリッジ１５は皮膚相互連結部材２０に連結され、皮膚相互連結部材２０は軸Ａ１機構３０に連結され、軸Ａ４機構３８は軸Ａ１機構３０に連結され、これが次いでハンドル１２に連結される。軸Ａ５を中心とする運動を可能にする実施形態は有利にも、剃毛ストローク中にかみそりカートリッジが皮膚の輪郭により密接に追従することを可能にし得る。図１２Ｂの投影図１２７Ｂは、特定の回転軸を中心とした回転を可能にする付加的な機構、具体的には、軸Ａ３を中心とした回転を可能にする機構９２、軸Ａ２を中心とした回転を可能にする機構９３、及び軸Ａ５を中心とした回転を可能にする機構９４を備えた、本発明の別の実施形態を示している。機構３８、９２、及び９３はそれぞれハンドルネックエリア２３内に位置し、機構９３及び９４はハンドル本体エリア２１内に位置する。機構９２、９３、及び９４を追加すること、又は他の機構を機構９２、９３、及び９４と交換することにより、設計における柔軟性、剃毛ストローク中にかみそりカートリッジ１５が皮膚により良好に追従することを可能にする運動の合成角、及びより小さくかつより簡潔な機構が提供され得る。
【００８１】
図１２Ｂ及び投影図１２７Ａに示される実施形態を参照すると、これらのかみそり構成要素の物理的連結の順序は、ハンドル１２の遠位端部分１８から最も遠く離れたところから開始して、（１）かみそりカートリッジ１５、（２）皮膚相互連結部材２０、（３）底部ポッド１９及びばね復帰要素を含み得る、軸Ａ４を中心とした回転を可能にする機構３８、（４）軸Ａ１を中心とした回転を可能にする機構、並びに（５）ハンドル１２、である。すなわち、かみそりカートリッジは皮膚相互連結部材に連結され、皮膚相互連結部材は軸Ａ４機構３８に連結され、軸Ａ４機構３８は軸Ａ１機構３０に連結され、これが次いでハンドル１２に連結される。軸Ａ１機構３０は、軸受、ばね復帰要素、及びブラケットアームを含む、図５に記載されたものと同様の設計を有し得る。
【００８２】
図１２Ｂの投影図１２７Ｂ〜１２７Ｅに、かみそり構成要素の最初の３つのうち、ハンドル１２の遠位端部分１８から最も離れたところから開始して、（１）かみそりカートリッジ１５、（２）皮膚相互連結部材２０、及び（３）軸Ａ１を中心とした回転のみ可能にしない機構、の物理的連結の順序を有する他の実施形態が示されている。図１２Ｂにおける非限定的な実施形態の軸Ａ１機構３０は、ハンドルネックエリア２１（投影図１２７Ａ及び１２７Ｂ）、ハンドル本体２３（投影図１２７Ｄ及び１２７Ｅ）、又はハンドルネックエリア２１とハンドル本体２３との間の接合部（投影図１２７Ｃ）にあり得る。皮膚相互連結部材２０と軸Ａ１機構３０との分離により、これらの実施形態は、カートリッジにより近いところで回転運動（例えば、ヨー運動又はロール運動）を有することを実現し得る。この物理的連結の順序は、より単純な旋回機構、より多くのモジュール式かみそり設計を可能にし、とりわけ、より大きな容積を有する皮膚相互連結部材を可能にし得る。
【００８３】
代替的にあるいは追加的に、軸Ａ１、軸Ａ２、軸Ａ３、及び／又は軸Ａ４機構は、任意の順序で組み合わされても、あるいは１つのユニットへと組み合わされてもよい。異なる運動軸を中心とした機構の異なる連結順序の組み合わせは、かみそりシステム設計に柔軟性をもたらし、良好な剃毛性能及び効果を、ハンドルから皮膚相互連結要素を介して提供し得る。１つのユニットへの組み合わせは、ユニバーサル型の旋回運動を提供すると称され得る。
【００８４】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００８５】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００８６】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2021515617.tif 000003
【図１Ｂ】
2021515617.tif 000004
【図１Ｃ】
2021515617.tif 000005
【図１Ｄ】
2021515617.tif 000006
【図２Ａ】
2021515617.tif 000007
【図２Ｂ】
2021515617.tif 000008
【図２Ｃ】
2021515617.tif 000009
【図２Ｄ】
2021515617.tif 000010
【図３Ａ】
2021515617.tif 000011
【図３Ｂ】
2021515617.tif 000012
【図３Ｃ】
2021515617.tif 000013
【図３Ｄ】
2021515617.tif 000014
【図４Ａ】
2021515617.tif 000015
【図４Ｂ】
2021515617.tif 000016
【図４Ｃ】
2021515617.tif 000017
【図４Ｄ】
2021515617.tif 000018
【図５Ａ】
2021515617.tif 000019
【図５Ｂ】
2021515617.tif 000020
【図６Ａ】
2021515617.tif 000021
【図６Ｂ】
2021515617.tif 000022
【図６Ｃ】
2021515617.tif 000023
【図６Ｄ】
2021515617.tif 000024
【図７】
2021515617.tif 000025
【図８】
2021515617.tif 000026
【図９】
2021515617.tif 000027
【図１０Ａ】
2021515617.tif 000028
【図１０Ｂ】
2021515617.tif 000029
【図１０Ｃ】
2021515617.tif 000030
【図１０Ｄ】
2021515617.tif 000031
【図１０Ｅ】
2021515617.tif 000032
【図１０Ｆ】
2021515617.tif 000033
【図１０Ｇ】
2021515617.tif 000034
【図１０Ｈ】
2021515617.tif 000035
【図１１Ａ】
2021515617.tif 000036
【図１１Ｂ】
2021515617.tif 000037
【図１２Ａ】
2021515617.tif 000038
【図１２Ｂ】
2021515617.tif 000039
【図１２Ｃ】
2021515617.tif 000040
【図１２Ｄ】
2021515617.tif 000041
【図１２Ｅ】
2021515617.tif 000042
【図１２Ｆ】
2021515617.tif 000043
【図１２Ｇ】
2021515617.tif 000044
【国際調査報告】
2021515617.tif 000045
2021515617.tif 000046
2021515617.tif 000047